(57)【要約】【課題】安定的に内部熱を排熱でき、且つ、設置場所、外形寸法、健康配慮、外観デザインの制約が少ない通気構造を備えたプリンターを提案すること。【解決手段】プリンター１は、プリンター本体部３およびディスプレイユニット４を備える。プリンター本体部３の前面３ａには、前方に突出するディスプレイ取付部５が形成される。ディスプレイユニット４は、ディスプレイ取付部５の上端に設けられたチルト機構６によって回動可能に支持される。ディスプレイユニット４が垂直な姿勢のとき、その裏面４ｂは、ディスプレイ取付部５の前面５ａに対向している。前面５ａには凹部２０が形成され、その上端はディスプレイ取付部５の上面に開口している。凹部２０の底面２１にはスリット状の通気口２３が形成されており、プリンター本体部３の内部熱が通気口２３から凹部２０内を通ってディスプレイ取付部５の上部空間に排熱される。【選択図】図３
2014151607.tif 000002
【特許請求の範囲】
【請求項１】
ディスプレイ取付部を備えるプリンター本体部と、
前記ディスプレイ取付部に取り付けられるディスプレイユニットとを有し、
前記ディスプレイ取付部には、前記ディスプレイユニットの裏面に対向する対向面が形成され、
前記裏面および前記対向面の少なくとも一方に凹部が形成され、
前記対向面に形成された凹部、または、前記裏面に形成された凹部に対向する前記対向面の部位に、通気口が形成されていることを特徴とするプリンター。
【請求項２】
請求項１において、
前記凹部は、
前記通気口が開口している排気部と、
当該排気部と外部空間とを連通している連通部とを備え、
前記連通部は、前記排気部から上方に延びており、前記ディスプレイユニットあるいは前記ディスプレイユニット取付部の上部空間に連通していることを特徴とするプリンター。
【請求項３】
請求項１または２において、
前記ディスプレイ取付部の内部には、冷却ファン、あるいは、冷却ファンからの気流が流れる通気路が配置され、
前記通気口は、前記冷却ファンに面して配置されるか、あるいは、前記通気路の出口に面して配置されていることを特徴とするプリンター。
【請求項４】
請求項１ないし３のいずれかの項において、
前記ディスプレイユニット取付部および前記ディスプレイユニットは、前記ディスプレイユニットの角度を変えるチルト機構を備えており、
前記ディスプレイユニットのチルト動作によって、前記通気口と、当該通気口に対向する前記裏面または前記対向面の部位との距離が変動することを特徴とするプリンター。
【請求項５】
ディスプレイ取付部を備える電子機器本体部と、
前記ディスプレイ取付部に取り付けられるディスプレイユニットとを有し、
前記ディスプレイ取付部には、前記ディスプレイユニットの裏面に対向する対向面が形成され、
前記裏面および前記対向面の少なくとも一方に凹部が形成され、
前記対向面に形成された凹部、または、前記裏面に形成された凹部に対向する前記対向面の部位に、通気口が形成されていることを特徴とする電子機器。
【請求項６】
請求項５において、
前記凹部は、
前記通気口が開口している排気部と、
当該排気部と外部空間とを連通している連通部とを備え、
前記連通部は、前記排気部から上方に延びており、前記ディスプレイユニットあるいは前記ディスプレイユニット取付部の上部空間に連通していることを特徴とする電子機器。
【請求項７】
請求項５または６において、
前記ディスプレイ取付部の内部には、冷却ファン、あるいは、冷却ファンからの気流が流れる通気路が配置され、
前記通気口は、前記冷却ファンに面して配置されるか、あるいは、前記通気路の出口に面して配置されていることを特徴とする電子機器。
【請求項８】
請求項５ないし７のいずれかの項において、
前記ディスプレイユニット取付部および前記ディスプレイユニットは、前記ディスプレイユニットの角度を変えるチルト機構を備えており、
前記ディスプレイユニットのチルト動作によって、前記通気口と、当該通気口に対向する前記裏面または前記対向面の部位との距離が変動することを特徴とする電子機器。
【発明の詳細な説明】
【技術分野】
【０００１】
本発明はプリンターなどの電子機器の排熱のための通気構造に関する。
【背景技術】
【０００２】
プリンターなどの電子機器は、モーターや制御ユニット、電源などの発熱源を含む内部機構と、内部機構を収納する筐体（外装ケース）を備えている。この種の電子機器では、発熱源からの熱を外部に逃がすため、筐体に給気口や排気口などの通気口を形成している。特許文献１には、筺体の背面に給気口を形成し、側面に排気口を形成した電子機器が開示されている。また、特許文献２には、筺体の底面に給気口を形成し、側面に排気口を形成した画像形成装置が開示されている。
【先行技術文献】
【特許文献】
【０００３】
【特許文献１】特開２００４−２８８６７６号公報
【特許文献２】特開平１１−８４９６２号公報
【発明の概要】
【発明が解決しようとする課題】
【０００４】
特許文献１、２の構成は、いずれも、通気口（排気口、吸気口）が外部に面している。このような構成では、通気口から安定的に排熱するため、周囲の物体との間に隙間を確保しなければならない。従って、側面や背面に通気口を設けた場合、設置上の制約が生じる。あるいは、底面に通気口を設けた場合、底面と設置面との間に隙間を確保するためには脚部が必要となり、外形寸法（高さ）が大きくなってしまう。また、前面や上面に通気口を設けた場合、埃などが入り易い上、操作者に排気が直接当たるという問題点もある。更に、機器の外観デザイン上の制約も大きい。
【０００５】
本発明の目的は、このような点に鑑みて、安定的に内部熱を排熱でき、且つ、設置場所および方向、外形寸法、外観デザインにおける制約を解消でき、操作者の不快感および健康に配慮した通気構造を備えたプリンターおよび電子機器を提供することにある。
【課題を解決するための手段】
【０００６】
上記の課題を解決するために、本発明のプリンターは、
ディスプレイ取付部を備えるプリンター本体部と、
前記ディスプレイ取付部に取り付けられるディスプレイユニットとを有し、
前記ディスプレイ取付部には、前記ディスプレイユニットの裏面に対向する対向面が形成され、
前記裏面および前記対向面の少なくとも一方に凹部が形成され、
前記対向面に形成された凹部、または、前記裏面に形成された凹部に対向する前記対向面の部位に、通気口が形成されていることを特徴とする。
【０００７】
また、本発明の電子機器は、
ディスプレイ取付部を備える電子機器本体部と、
前記ディスプレイ取付部に取り付けられるディスプレイユニットとを有し、
前記ディスプレイ取付部には、前記ディスプレイユニットの裏面に対向する対向面が形成され、
前記裏面および前記対向面の少なくとも一方に凹部が形成され、
前記対向面に形成された凹部、または、前記裏面に形成された凹部に対向する前記対向面の部位に、通気口が形成されていることを特徴とする。
【０００８】
本発明は、このように、ディスプレイユニットの裏面がディスプレイ取付部に対向しており、対向する面のどちらかまたは両方に凹部を形成することにより、ディスプレイユニットとディスプレイ取付部との間に一定の隙間を確保している。そして、この隙間（凹部内の空間）に面して通気口を開口させている。このように、ディスプレイユニットに覆われる部位に通気口および一定の空間を設けることにより、安定的に内部熱を排熱できる構造としながら、通気口が外部に面していることによる制約（設置場所および方向、外形寸法、外観デザイン等）を解消できる。また、操作者の不快感を解消でき、操作者の健康に配慮した通気構造とすることができる
【０００９】
本発明のプリンターおよび電子機器において、前記凹部は、前記通気口が開口している放熱部と、当該放熱部と外部空間とを連通している連通部とを備え、前記連通部は、前記放熱部から上方に延びており、前記ディスプレイユニットあるいは前記ディスプレイユニット取付部の上部空間に連通していることが望ましい。このようにすると、凹部における放熱部に放熱された熱を連通部から安定的に排熱できる。また、連通部を上方に延ばしているため、凹部内の暖まった空気が煙突効果によって上方に流出する。従って、効率的に排熱できる。
【００１０】
本発明のプリンターおよび電子機器において、前記ディスプレイ取付部の内部には、冷却ファン、あるいは、冷却ファンからの気流が流れる通気路が配置され、前記通気口は、前記冷却ファンに面して配置されるか、あるいは、前記通気路の出口に面して配置されていることが望ましい。このようにすると、プリンター本体部内の暖まった空気を通気口に吸引できるため、内部熱を効率的に排熱できる。
【００１１】
また、本発明のプリンターおよび電子機器において、前記ディスプレイユニット取付部および前記ディスプレイユニットは、前記ディスプレイユニットの角度を変えるチルト機構を備えており、前記ディスプレイユニットのチルト動作によって、前記凹部内に形成された前記通気口と、当該通気口に対向する前記裏面または前記対向面の部位との距離が変動することが望ましい。このようにすると、チルト動作によって放熱空間を広げることができるため、排熱効率を高めることができる。加えて、ディスプレイは通常操作者に正対することが多いため、排気された本体内部空気が、ディスプレイに遮られ操作者に直接当たることを防ぐことが可能である。これにより、排気が顔および身体に直接当たることによる操作者の不快を取り除くことができ、また操作者の眼の乾き（ドライアイ）等の一因となることを防ぐことが可能である。
【発明の効果】
【００１２】
本発明によれば、ディスプレイユニットとディスプレイ取付部との間に一定の隙間を確保でき、この隙間内（凹部内）に、プリンター本体部の内部に連通する通気口を開口させている。このように、ディスプレイユニットに覆われる部位に通気口および一定の空間を設けることにより、安定的に内部熱を排熱できる構造としながら、通気口が外部に面していることによる制約（設置場所および方向、外形寸法、外観デザイン等）を解消できる。また、操作者の不快感を解消でき、操作者の健康に配慮した通気構造とすることができる。
【図面の簡単な説明】
【００１３】
【図１】実施形態１に係るインクジェットプリンターを右斜め前方から見た外観斜視図である。
【図２】インクジェットプリンターを右斜め前方から見た分解斜視図である。
【図３】ディスプレイユニットおよびディスプレイ取付部の部分断面図（図１のＡ−Ａ断面図）である。
【図４】実施形態２のプリンターにおけるディスプレイユニットおよびディスプレイ取付部の部分断面図である。
【発明を実施するための形態】
【００１４】
以下に、図面を参照して、本発明を適用した電子機器（プリンター）の実施の形態を説明する。
【００１５】
（実施形態１）
図１は実施形態１に係るインクジェットプリンターを右斜め前方から見た外観斜視図である。インクジェットプリンター１（以下、プリンター１という。）は、プリンター本体部３（電子機器本体部）と、表示・入力操作用のディスプレイユニット４を備えている。プリンター本体部３は、プリンター前後方向Ｙに長い直方体形状の外装ケース７を備えており、外装ケース７によって印刷ヘッドやプラテン、紙送りローラー対などのプリンター機構部が覆われた構成となっている。プリンター本体部３の前面３ａには、前方に突出するディスプレイ取付部５が形成されている。ディスプレイユニット４は、ディスプレイ取付部５の前方に取り付けられており、その表示画面４ａがプリンター前方を向いている。
【００１６】
図２はインクジェットプリンター１を右斜め前方から見た分解斜視図である。ディスプレイユニット４は、ディスプレイ取付部５の上端部分に設けられたチルト機構６（図１参照）により、プリンター幅方向Ｘに延びる回動中心線Ｌ回りに回動可能な状態で支持されている。ディスプレイユニット４の裏面上端の両側の部位からは、左右の腕部８ａ、８ｂが突出している。チルト機構６は、腕部８ａ、８ｂに設けられたヒンジ軸９ａ、９ｂと、ディスプレイ取付部５に設けられた軸ホルダー１０ａ、１０ｂを備えている。軸ホルダー１０ａ、１０ｂは、ディスプレイ取付部５のプリンター幅方向Ｘの両側面に設けられている。軸ホルダー１０ａ、１０ｂ内にヒンジ軸９ａ、９ｂが装着されると、予め設定した摩擦トルク以上の力で回動操作可能なチルト機構６が構成される。ディスプレイユニット４は、表示画面４ａがプリンター前方を向く垂直な姿勢の位置（図１参照）から、表示画面４ａがプリンター上方を向く水平な姿勢の位置までの間を回動可能である。
【００１７】
プリンター本体部３におけるプリンター幅方向Ｘの一方の側には、用紙挿入口１２が形成されている。また、プリンター本体部３には、トラクターユニット１３が用紙挿入口１２からプリンター幅方向Ｘの外方に突出する状態に取り付けられている。用紙挿入口１２の下側には、折り畳まれた状態の記録紙（ファンフォールド紙）を載置した用紙トレイ（図示省略）が配置される。記録紙は、トラクターユニット１３の下側からプリンター上下方向Ｚの上方に引き出され、トラクターユニット１３にセットされる。トラクターユニット１３を駆動すると、記録紙が用紙挿入口１２に送り込まれる。
【００１８】
また、プリンター本体部３には、プリンター幅方向Ｘにおける用紙挿入口１２とは反対側の部位に、用紙排出口１４が形成されている。プリンター本体部３の内部には、用紙挿入口１２から用紙排出口１４まで延びる用紙搬送路が形成され、用紙搬送路の途中位置に印刷ヘッドおよびプラテンが対向配置されている。用紙挿入口１２に送り込まれた記録紙は、印刷ヘッドによる印刷位置とトラクターユニット１３の間に配置された紙送りローラー対によって紙送りされる。印刷後の記録紙は、用紙排出口１４から排出される。
【００１９】
（プリンター本体部の通気構造）
図２に示すように、ディスプレイ取付部５の前面５ａ（対向面）の上部中央には、縦長の略長方形の凹部２０が形成されている。前面５ａは、凹部２０を除いて平坦に形成されている。また、前面５ａの上端部分は、ディスプレイ取付部５の上面前端部に設けられた湾曲面５ｂに接続されている。凹部２０は、底面２１と、底面２１を囲む内側側面２２を備えている。内側側面２２は、底面２１のプリンター幅方向Ｘの両側およびプリンター上下方向Ｚの下側の３方向を囲んでいる。一方、凹部２０の上端は、ディスプレイ取付部５の上面前端部、すなわち、湾曲面５ｂの前端部分に開口している。
【００２０】
図３は、ディスプレイユニット４およびディスプレイ取付部５の部分断面図（図１のＡ−Ａ断面図）である。図３に示すように、ディスプレイユニット４は、タッチパネル４１と、ＬＣＤパネル４２およびバックライトユニット４３と、これらを駆動するための各種の電子部品等を組み込んだ駆動ユニット４４を備えている。駆動ユニット４４は、ディスプレイユニット４の裏面４ｂに形成された凸部４ｃ内に収納されている。凸部４ｃは、裏面４ｂの他の部位よりも一段盛り上がった形状をしている。ディスプレイユニット４は、駆動ユニット４４を収納した部位が、他の部位よりも厚くなっている。
【００２１】
ディスプレイユニット４が垂直な姿勢のとき、ディスプレイユニット４の裏面４ｂは、ディスプレイ取付部５の前面５ａ（対向面）に対向している。前面５ａにおける凹部２０とその周囲の部位は、裏面４ｂにおける凸部４ｃの部位に対向している。この部位では、裏面４ｂと前面５ａとの隙間が非常に狭いか、あるいは、裏面４ｂと前面５ａがほぼ接触した状態になっているが、凹部２０が形成されていることにより、ディスプレイユニット４を垂直な姿勢にしたときでも、ディスプレイ取付部５とディスプレイユニット４との間には一定の大きさの隙間（凹部２０内の空間）が確保される。
【００２２】
凹部２０の底面２１におけるプリンター上下方向Ｚの下側の部位には、スリット状の通気口２３が形成されている。通気口２３は、外装ケース７を貫通している。通気口２３によって、プリンター本体部３の内部空間と、凹部２０内の空間とが連通している。ディスプレイ取付部５の内側には、通気口２３に面して冷却ファン３０が配置されている。冷却ファン３０を回転させると、プリンター本体部３の各部から冷却ファン３０へ向かう気流が形成される。このとき、プリンター本体部３の各部に配置された熱源によって暖まった空気が冷却ファン３０側に吸引され、通気口２３から凹部２０内に排出される。これにより、プリンター本体部３の内部熱が凹部２０内に放熱される。
【００２３】
通気口２３は、凹部２０の下部に形成されているため、凹部２０の下部は、通気口２３からの気流が排出される排気部２０ａとなっている。一方、凹部２０の上部は、通気口２３よりも上に延びており、その上端はディスプレイ取付部５の上面前端に開口している。すなわち、凹部２０の上部は、排気部２０ａと外部空間とを連通している連通部２０ｂとなっている。連通部２０ｂを通って、排気部２０ａに排出された空気がディスプレイ取付部５の上部空間に排出される。なお、連通部２０ｂを排気部２０ａから横向きあるいは下向きに延ばして、ディスプレイ取付部５の側方の空間あるいは下方の空間に連通させても良い。このような構成でも、通気口２３からの排気を外部空間に送り出すことができる。但し、連通部２０ｂを上方に延ばした場合には、温度が高い排気が煙突効果によって上方に流出しやすい。従って、側方や下方に連通部２０ｂを延ばすよりも効率的に排熱できる。
【００２４】
ディスプレイユニット４を図３の矢印Ｂ方向に回動させて傾けると、このチルト動作により、ディスプレイユニット４の裏面４ｂがディスプレイ取付部５の前面５ａから離れる。すなわち、ディスプレイユニット４のチルト動作により、通気口２３と、通気口２３に対向する裏面４ｂの部位との距離Ｄが変動する。チルト動作によってディスプレイユニット４を傾けたときには、距離Ｄが大きくなり、凹部２０内の空間がディスプレイユニット４の下側の空間と連通する。つまり、ディスプレイユニット４を傾けると、放熱空間が拡大される。また、凹部２０の上端はディスプレイ取付部５の上面（湾曲面５ｂ）に開口しているため、ディスプレイユニット４が垂直な姿勢のとき、すなわち、距離Ｄが最も小さいときでも、凹部２０は外部空間に連通している。つまり、ディスプレイユニット４がどのような姿勢であっても、安定的に排熱することが可能である。
【００２５】
ディスプレイ取付部５の内部空間には、ディスプレイユニット４を制御するＰＣユニット３１が配置されている。ＰＣユニット３１と通気口２３との間に上述した冷却ファン３０が配置されているため、冷却ファン３０を回転させて排気を行うと、プリンター本体部３側からの気流がＰＣユニット３１を通過して、ＰＣユニット３１からの排熱と共に排出される。ここで、プリンター本体部３の外装ケース７内には、ＰＣユニット３１以外の発熱源として、電源ユニット（図示省略）が配置されている。冷却ファン３０による吸引時に吸引空気が通る通気経路上に電源ユニットを配置すれば、電源ユニットから生じる熱についても効率的に排熱できる。例えば、電源ユニットの近傍に給気口を形成し、電源ユニットからＰＣユニット３１へ向かう通気経路を直線状にすることにより、より効率的に排熱できる。なお、プリンター１内の他の発熱源、例えば、紙送りローラー対を回転させる紙送りモーター、トラクターユニット１３を駆動するトラクターモーター、印刷ヘッドを駆動するキャリッジモーター等から生じる熱についても、通気経路を考慮して配置することにより、同様に排熱できる。
【００２６】
以上のように、実施形態１のプリンター１は、ディスプレイユニット４の裏面４ｂがディスプレイ取付部５の前面５ａに対向しており、ディスプレイユニット４によって覆われる前面５ａの部位に凹部２０を形成することにより、ディスプレイユニット４とディスプレイ取付部５との間に放熱空間を確保している。そして、この放熱空間内（凹部２０内）に、プリンター本体部３の内部に連通する通気口２３を開口させている。このような構成によって、ディスプレイユニット４の姿勢に関係なく、安定的に内部熱を排熱できる。また、通気口２３がディスプレイユニット４の背面側に隠れていて外部に面していないため、設置場所、外形寸法、外観デザイン等の制約が少ないという利点がある。加えて、ディスプレイは通常操作者に正対することが多いため、排気された本体内部空気が、ディスプレイに遮られ操作者に直接当たることを防ぐことが可能である。これにより、排気が顔および身体に直接当たることによる操作者の不快を取り除くことができ、また操作者の眼の乾き（ドライアイ）等の一因となることを防ぐことができるという利点がある。
【００２７】
（実施形態２）
図４は、実施形態２のプリンターにおけるディスプレイユニットおよびディスプレイ取付部の部分断面図である。なお、図４では、通気構造以外の構成については図示を省略している。実施形態２と実施形態１の相違点は、実施形態１ではディスプレイ取付部５の前面５ａに凹部２０を形成して、凹部２０に通気口２３を形成したのに対して、実施形態２では、ディスプレイユニット１０４の裏面１０４ｂに凹部１２０を形成し、凹部１２０に対向するディスプレイ取付部１０５の前面１０５ａの部位に通気口１２３を形成した点である。
【００２８】
図４に示すように、実施形態２のプリンター１０１では、ディスプレイ取付部１０５の前面１０５ａは平坦である。前面１０５ａには、実施形態１における通気口２３と同じ高さの位置に、通気口１２３が形成されている。凹部１２０は、ディスプレイユニット１０４の裏面１０４ｂにおける通気口１２３に面する部位に形成されている。凹部１２０の上端は、ディスプレイユニット１０４の上面後端部に開口している。凹部１２０の下部は、ディスプレイ取付部１０５の前面１０５ａに形成された通気口１２３に面しており、通気口１２３からの気流が排出される排気部１２０ａとなっている。また、凹部１２０の上部は、この排気部１２０ａと外部空間（ディスプレイユニット１０４の上部空間）とを連通する連通部１２０ｂとなっている。
【００２９】
このような構成においても、実施形態１と同様に、安定的にプリンター１０１の内部熱を排熱できる。また、通気口１２３がディスプレイユニット１０４の背面側に隠れていて外部に面していないため、設置場所、外形寸法、外観デザイン等の制約が少ないという利点がある。更に、煙突効果によって効率的に排熱できる点、ディスプレイユニット１０４のチルト動作によって放熱空間が拡大する点、電源ユニットから生じる熱についても効率的に排熱できる点、排気が直接操作者に当たらず操作者の不快感や健康への配慮がなされた構造となっている点も同じである。
【００３０】
なお、実施形態１、２は、ディスプレイユニットの裏面とディスプレイ取付部の前面のいずれか一方に凹部を形成したものであったが、これらを組み合わせた形態にしてもよい。すなわち、ディスプレイユニットの裏面とディスプレイ取付部の前面の両方に凹部を形成してもよい。
【００３１】
また、上記各形態では、通気口２３、１２３に面して冷却ファンを配置しているが、冷却ファンを外装ケース７内の他の位置に設置することもできる。この場合には、冷却ファンからの気流が流れるダクトなどの通気路を形成し、この通気路の出口を通気口２３、１２３に面する位置に配置すればよい。
【００３２】
更に、上記各形態では、凹部２０、１２０の上部（連通部２０ｂ、１２０ｂ）と下部（排気部２０ａ、１２０ａ）が同じ深さおよび幅に形成されているが、凹部２０、１２０の上部（連通部２０ｂ、１２０ｂ）を下部（排気部２０ａ、１２０ａ）よりも浅く形成してもよい。また、凹部２０、１２０の上部（連通部２０ｂ、１２０ｂ）の幅を、下部（排気部２０ａ、１２０ａ）の幅よりも狭く形成してもよい。
【００３３】
また、上記形態は、本発明をプリンターの実施形態にて説明したが、プリンターに限らず他の電子機器にも同様な構造を適用し同様な効果を確保することができる。例えば、ファクシミリや複合機などに適用でき、ディスプレイユニットや操作パネルユニットを備えた各種の電子機器に適用できる。
【符号の説明】
【００３４】
１、１０１…インクジェットプリンター（プリンター／電子機器）、３…プリンター本体部（電子機器本体部）、３ａ…前面、４、１０４…ディスプレイユニット、４ａ…表示画面、４ｂ、１０４ｂ…裏面、４ｃ…凸部、５、１０５…ディスプレイ取付部、５ａ、１０５ａ…前面（対向面）、５ｂ…湾曲面、６…チルト機構、７…外装ケース、８ａ、８ｂ…腕部、９ａ、９ｂ…ヒンジ軸、１０ａ、１０ｂ…軸ホルダー、１２…用紙挿入口、１３…トラクターユニット、１４…用紙排出口、２０、１２０…凹部、２０ａ、１２０ａ…排気部、２０ｂ、１２０ｂ…連通部、２１…底面、２２…内側側面、２３、１２３…通気口、３０…冷却ファン、３１…ＰＣユニット、４１…タッチパネル、４２…ＬＣＤパネル、４３…バックライトユニット、４４…駆動ユニット、Ｌ…回動中心線、Ｘ…プリンター幅方向、Ｙ…プリンター前後方向、Ｚ…プリンター上下方向
【図１】
2014151607.tif 000003
【図２】
2014151607.tif 000004
【図３】
2014151607.tif 000005
【図４】
2014151607.tif 000006